(57)【要約】      （修正有）【課題】製造コストを過大にせず、実用性を向上させる組立プールを提供する。【解決手段】内部に凹部Ｓを形成する枠体１０と、凹部Ｓを防水する防水部材２０とを組み合わせ、枠体１０は、基本形状が直方体の同形同大のブロック体１１、１１…を分解可能に連結して構成する。組立プールは、枠体１０と、防水部材２０とを備えてなる。なお、枠体１０に組み合わせる防水部材２０を保護するために、クッション性のシート材３１が付属されている。【選択図】図１
0003183753.tif 000002
【実用新案登録請求の範囲】
【請求項１】
内部に凹部を形成する枠体と、該枠体に着脱可能に組み合わせ、前記凹部を防水する防水部材とを備えてなり、前記枠体は、基本形状が直方体の同形同大のブロック体を分解可能に連結して構成することを特徴とする組立プール。
【請求項２】
前記ブロック体は、上下方向の各角部に切欠きを形成し、該切欠きは、それぞれ水平の連結片を突設し、該連結片には、それぞれ前記ブロック体の上下方向の角相当の位置を中心とする連結ピン用のピン孔を形成することを特徴とする請求項１記載の組立プール。
【請求項３】
前記切欠きは、隣接する他のブロック体の連結片の一部を収納可能に形成することを特徴とする請求項２記載の組立プール。
【請求項４】
前記連結片は、前記ブロック体の高さの半分内において、前記ブロック体の上面の各対角線方向の２個１組を同一の高さ位置に配置するとともに、異なる対角線方向の各組の高さ位置を前記連結片の厚さ以上に異ならせて配置することを特徴とする請求項２または請求項３記載の組立プール。
【請求項５】
前記切欠きの上部、下部には、それぞれ前記ピン孔に挿通する前記連結ピンの頭部を支承する係合部を突設することを特徴とする請求項２ないし請求項４のいずれか記載の組立プール。
【請求項６】
前記頭部には、挿脱用の摘みを形成することを特徴とする請求項５記載の組立プール。
【請求項７】
前記枠体は、外部に露出する前記ブロック体の上下方向の連結部分を覆うカバー材を付設することを特徴とする請求項１ないし請求項６のいずれか記載の組立プール。
【考案の詳細な説明】
【技術分野】
【０００１】
この考案は、組立・分解が容易に可能な簡易な組立プールに関する。
【背景技術】
【０００２】
幼児向けの簡易な組立プールとして、複数の板材を多角形のリング状に連結して折畳み可能な枠体を形成し、このような枠体の内部に防水シートを装着する形式が提案されている（特許文献１）。
【０００３】
また、複数の円弧状のブロック体をリング状に連結し、内部に防水シートを装着する形式も知られている（特許文献２）。
【先行技術文献】
【特許文献】
【０００４】
【特許文献１】特開２００１−９０３６４号公報
【特許文献２】特開２００８−１４８９９０号公報
【考案の概要】
【考案が解決しようとする課題】
【０００５】
かかる従来技術の前者によるときは、板材の枠体は、平らな地表面などに設置しても安定性がよくないため、不用意に倒れて内部の水が流出したり、遊戯中の子供が思わぬ怪我をしたりするおそれが否めないという問題があった。後者によるときは、円弧状のブロック体を連結して形成する枠体は、安定性に優れていて不用意に倒れたりするおそれがないものの、ブロック体の大きさによってプールのサイズが固定されてしまう上、各ブロック体の形状が複雑であり、製作コストが過大になりがちであるという問題があった。
【０００６】
そこで、この考案の目的は、かかる従来技術の問題に鑑み、基本形状が直方体の同形同大の１種類のブロック体を連結して枠体を構成することによって、製造コストが過大にならず、実用性に優れた組立プールを提供することにある。
【課題を解決するための手段】
【０００７】
かかる目的を達成するためのこの考案の構成は、内部に凹部を形成する枠体と、枠体に着脱可能に組み合わせ、凹部を防水する防水部材とを備えてなり、枠体は、基本形状が直方体の同形同大のブロック体を分解可能に連結して構成することをその要旨とする。ただし、ここでいう直方体とは、立方体を含むものとし、基本形状とは、上面、下面、四周の側面による基本的な全体形状をいうものとする。
【０００８】
なお、ブロック体は、上下方向の各角部に切欠きを形成し、切欠きは、それぞれ水平の連結片を突設し、連結片には、それぞれブロック体の上下方向の角相当の位置を中心とする連結ピン用のピン孔を形成することができ、切欠きは、隣接する他のブロック体の連結片の一部を収納可能に形成することができる。
【０００９】
また、連結片は、ブロック体の高さの半分内において、ブロック体の上面の各対角線方向の２個１組を同一の高さ位置に配置するとともに、異なる対角線方向の各組の高さ位置を連結片の厚さ以上に異ならせて配置してもよい。
【００１０】
さらに、切欠きの上部、下部には、それぞれピン孔に挿通する連結ピンの頭部を支承する係合部を突設してもよく、頭部には、挿脱用の摘みを形成してもよく、枠体は、外部に露出するブロック体の上下方向の連結部分を覆うカバー材を付設してもよい。
【考案の効果】
【００１１】
かかる考案の構成によるときは、枠体は、基本形状が直方体のブロック体を連結して構成するため、設置時の安定性に優れている上、複数の同形同大のブロック体を使用することにより、製造コストを適切に抑えながら、任意のサイズのプールを容易に実現することができ、分解組立も簡単であり、実用性を向上させることができる。なお、枠体の全体形状は、長方形、正方形の他、たとえば凸字状、凹字状、十字状などの縦横の直線を直角に組み合わせる任意の形状、大きさに作ることができる。防水部材は、枠体に組み合わせ、枠体の凹部を防水して水漏れをなくすることができればよく、凹部の形状に適合する一体成形品であってもよく、少なくとも凹部の内面、底面を覆う薄い折曲げ可能なシート材であってもよい。
【００１２】
ブロック体は、上下方向の各角部の切欠きに水平の連結片を突設することにより、２個を並べて側面を密接させてそれぞれの連結片のピン孔を合わせ、共通の連結ピンを介して連結することができる。そこで、同様の手順を繰り返すことにより、任意の数のブロック体を前後左右に連結して枠体を構成することができる。なお、各連結片のピン孔は、各ブロック体の上下方向の角相当の位置、すなわちブロック体の相隣る２側面の交線相当の位置に中心を有するため、各ブロック体を密接させて連結することができる。また、各ブロック体の角部に設ける切欠きは、隣接する他のブロック体の連結片の一部を収納し、各ブロック体を密接して配置可能とする。ただし、隣接する他のブロック体は、側面を密接させることなく、対角線方向に隣接して連結するものを含んでいてもよい。
【００１３】
連結片は、ブロック体の高さの半分内に配置することにより、ブロック体を上下反転させて組み合わせることができ、単一の連結ピンのまわりに最大４個のブロック体を配置して連結することができる。なお、連結片は、上面の各対角線方向の１組を同一の高さ位置とし、異なる対角線方向の各組を異なる高さ位置とすることにより、隣接する各ブロック体の連結片を正しく上下に重ね合わせることができる。
【００１４】
各切欠きに形成する係合部は、連結片のピン孔に挿通してブロック体を連結する連結ピンの頭部を支承し、連結ピンを位置決めして挿入深さを規制する。なお、係合部は、水平の係合リブとしてもよく、１または２以上の係合突部などとしてもよい。また、連結ピンは、頭部の摘みを手指で摘んで挿脱可能であり、格別な工具などを使用することなく、枠体を分解組立することができる。
【００１５】
枠体に付設するカバー材は、外部に露出するブロック体の上下方向の連結部分を覆うことにより、外観を向上させるとともに、安全性を高めることができる。
【図面の簡単な説明】
【００１６】
【図１】全体構成分解斜視図
【図２】ブロック体の斜視図
【図３】ブロック体の構成説明図（１）
【図４】連結部分の分解斜視図
【図５】連結ピンの構成説明図
【図６】カバー材の全体斜視図
【図７】ブロック体の構成説明図（２）
【図８】ブロック体の使用状態説明図
【図９】枠体の構成説明図
【図１０】枠体の要部拡大縦断面説明図
【図１１】カバー材の装着形態説明図
【考案を実施するための形態】
【００１７】
以下、図面を以って考案の実施の形態を説明する。
【００１８】
組立プールは、枠体１０と、防水部材２０とを備えてなる（図１）。なお、枠体１０に組み合わせる防水部材２０を保護するために、クッション性のシート材３１が付属されている。
【００１９】
枠体１０は、内部に凹部Ｓを有する長方形の枠状に形成されている。枠体１０は、基本形状が直方体の同形同大のブロック体１１、１１…を縦横に連結して構成されている。なお、図示の枠体１０は、四周の全辺がそれぞれ上下２段のブロック体１１、１１…により構成され、対向する２辺がそれぞれ２列のブロック体１１、１１…により構成され、他の１列のブロック体１１、１１…の２辺の一方には、１段のブロック体１１、１１…による段が付設されている。
【００２０】
防水部材２０は、枠体１０に適合する一体の成形品である。防水部材２０は、枠体１０の凹部Ｓに嵌め込む貯水部２１と、貯水部２１の上端縁の全周に付設するフランジ部２２、２２…とを一体成形して形成されている。防水部材２０は、貯水部２１を凹部Ｓに嵌め込み、フランジ部２２、２２…を枠体１０上に支承させることにより、貯水部２１に水を張り、プールとして使用することができる。なお、凹部Ｓには、クッション性のシート材３１を敷設して防水部材２０の底面を支持して保護することができる。
【００２１】
各ブロック体１１は、直方体の上下方向の各角部に切欠き１１ａを形成し、各切欠き１１ａの中途に水平の連結片１１ｂを突設している（図２、図３）。ただし、図３（Ａ）、（Ｂ）は、それぞれ上面図、同図（Ａ）のＡ−Ａ線矢視相当断面図である。
【００２２】
各連結片１１ｂは、円板状に形成され、ピン孔１１ｃが形成されている。ピン孔１１ｃは、ブロック体１１の相隣る２側面の交線相当の位置、すなわちブロック体１１の上下方向の角相当の位置に中心を有する円形孔であり、連結片１１ｂの外形は、ピン孔１１ｃと同軸状である。また、切欠き１１ａは、連結片１１ｂの１／４相当の断面扇形に形成され、連結片１１ｂは、外周の１／４を切欠き１１ａに接合するように形成されている。ただし、各連結片１１ｂの外形は、円形以外の多角形などとしてもよく、切欠き１１ａの断面形状は、連結片１１ｂの外形に適合させればよい。
【００２３】
連結片１１、１１…は、ブロック体１１の高さの半分内に配置されている。すなわち、図２、図３において、連結片１１、１１…は、ブロック体１１の上半部に配置されている。なお、ブロック体１１の上面の各対角線方向の２個１組の連結片１１、１１は、同一の高さ位置に配置され、異なる対角線方向の連結片１１、１１…は、各組ごとに互いに連結片１１の厚さ相当だけ高さ位置を異ならせて配置されている。すなわち、図２、図３において、低位置側の連結片１１、１１の下面は、ブロック体１１の高さの１／２相当の高さ位置にあり、高位置側の連結片１１、１１の下面は、低位置側の連結片１１、１１の上面に一致する高さ位置にある。ただし、低位置側の各連結片１１の下面は、ブロック体１１の高さの１／２相当の高さ位置より高くてもよいものとし、高位置側、低位置側の各連結片１１、１１の間には、隙間を生じてもよいものとする。そこで、高位置側、低位置側の各連結片１１、１１は、各連結片１１の厚さ以上に高さ位置を異ならせれば十分である。
【００２４】
一方、各切欠き１１ａの上部、下部には、それぞれ水平の係合リブ形式の係合部１１ｄが形成されている。
【００２５】
かかるブロック体１１は、たとえば硬質プラスチック材料や発泡プラスチック材料などを使用し、中空状または中実状に一体成形することができる。なお、ブロック体１１は、必要に応じて補強材入りに形成してもよい。ブロック体１１は、上下方向の中心軸ＬＣのまわりに１／２回転させると元の形状に一致し、いわゆる２回対称性を有する。また、ブロック体１１は、中心軸ＬＣのまわりに１／４回転させることにより、連結片１１、１１…の高さ位置を実質的に入れ替えることができる。
【００２６】
２個のブロック体１１、１１は、それぞれの１側面を密接させて並べることにより（図４）、一方の高位置の連結片１１ｂと他方の低位置の連結片１１ｂとを同位置に上下に重ね合わせることができる。そこで、上下に重なる連結片１１ｂ、１１ｂのピン孔１１ｃ、１１ｃに共通の連結ピン１２を挿通させると、ブロック体１１、１１を分解可能に連結することができる。ただし、連結ピン１２は、上端のフランジ状の頭部１２ａをブロック体１１、１１の係合部１１ｄ、１１ｄに支承させて位置決めするものとし、そのとき、頭部１２ａは、各係合部１１ｄの上方の切欠き１１ａ内に１／４ずつ収納され、頭部１２ａの下の本体部１２ｂの下端は、ブロック体１１、１１の下面にまで垂下する。また、ブロック体１１、１１の一方の切欠き１１ａには、他方の連結片１１ｂの１／４が収納されている。
【００２７】
連結ピン１２の頭部１２ａには、上向きの摘み１２ｃが形成されている（図５）。なお、摘み１２ｃは、頭部１２ａの上面に形成する円形の凹部１２ｄの中心において、小径の支柱１２ｅを介して頭部１２ａの上面と同一高さに支持されている。連結ピン１２は、摘み１２ｃを介し、連結片１１ｂ、１１ｂのピン孔１１ｃ、１１ｃに対して挿脱することができる。ただし、図５（Ａ）、（Ｂ）は、それぞれ連結ピン１２の上面図、一部破断正面図である。
【００２８】
ブロック体１１、１１の上下方向の連結部分には、カバー材３２を付設することができる（図４、図６）。
【００２９】
カバー材３２は、各ブロック体１１の高さと同長の断面半円弧状に形成されている。カバー材３２の内面の上部、下部には、それぞれ一対の係合爪３２ａ、３２ａが水平に対向して突設するように形成されている。そこで、カバー材３２は、ブロック体１１、１１を連結している連結ピン１２の本体部１２ｂの上部、下部に対して上下各一対の係合爪３２ａ、３２ａ…を弾発的に嵌合させることにより、ブロック体１１、１１の連結片１１ｂ、１１ｂ、切欠き１１ａ、１１ａ、連結ピン１２の全部を着脱自在に隠蔽することができる。
【００３０】
なお、カバー材３２は、上部の係合爪３２ａ、３２ａをブロック体１１、１１の上部の係合部１１ｄ、１１ｄと高位置の連結片１１ｂとの間の隙間に進入させ、下部の係合爪３２ａ、３２ａを下部の係合部１１ｄ、１１ｄの直近上方に進入させることにより、ブロック体１１、１１、連結ピン１２を相対移動不能に拘束することができる。ただし、係合爪３２ａ、３２ａの上下方向の寸法ｈは、上部の係合部１１ｄ、１１ｄと高位置の連結片１１ｂとの間の隙間に適合させるものとする。
【００３１】
図３（Ａ）のブロック体１１のＢ矢視図は、図７（Ａ）のように図示することができる。ただし、図３、図７（Ａ）において、ブロック体１１の上半部の高位置の連結片１１ｂ、１１ｂは、それぞれ符号ａが付され、低位置の連結片１１ｂ、１１ｂは、それぞれ符号ｂが付されている。そこで、図７（Ａ）のブロック体１１の上面図は、図８（Ａ）のとおりであり、図８（Ａ）のブロック体１１を９０°ずつ順に水平に左回転させると、符号ａ、ａ、ｂ、ｂの各連結片１１ｂの配置は、図８（Ａ）〜（Ｄ）のように順に変化し、各連結片１１ｂの高さ位置を実質的に順に入れ替えることができる。なお、図８（Ａ）〜（Ｄ）において、ブロック体１１上の三角形は、ブロック体１１の向きを示し、各角部の符号ａ、ｂは、その角部の連結片１１ｂが高位置、低位置のいずれにあるかを表示している。
【００３２】
一方、図７（Ａ）のブロック体１１を上下反転させると、図７（Ｂ）のとおりである。ただし、図７（Ｂ）において、ブロック体１１の下半部の高位置の連結片１１ｂ、１１ｂは、それぞれ符号ｃが付され、低位置の連結片１１ｂ、１１ｂは、それぞれ符号ｄが付されている。そこで、図７（Ｂ）のブロック体１１の上面図は、図８（Ｅ）のとおりであり、図８（Ｅ）のブロック体１１を９０°ずつ順に水平に左回転させると、符号ｃ、ｃ、ｄ、ｄの各連結片１１ｂの配置は、図８（Ｅ）〜（Ｈ）のように順に変化する。なお、図８（Ｅ）〜（Ｈ）において、ブロック体１１上の三角形は、ブロック体１１の向きを示し、円形は、ブロック体１１が上下反転していることを示している。また、各角部の符号ｃ、ｄは、その角部の連結片１１ｂが高位置、低位置のいずれにあるかを表示している。
【００３３】
そこで、複数のブロック体１１、１１…を連結して図１の枠体１０を構成するときは、図８（Ａ）〜（Ｈ）のように符号ａ、ａ、ｂ、ｂ、符号ｃ、ｃ、ｄ、ｄの連結片１１ｂ、１１ｂ…を各角部に有するブロック体１１、１１…をたとえば図９のように配列すればよい。ただし、図９は、図１の枠体１０の１段目の構成を図示している。図９において、小さい正方形の単位図形は、内部の三角形の方向、円形の有無により図８（Ａ）〜（Ｈ）のいずれかのブロック体１１を示している。たとえば、図９の最上の横一列には、図８（Ｅ）のブロック体１１、１１…が使用され、次の一列には、図８（Ａ）のブロック体１１、１１…が使用されている。
【００３４】
図９において、符号ａ、ｂの連結片１１ｂ、１１ｂによる２個のブロック体１１、１１の上下方向の連結部分（図９の矢視Ｘ2a相当）の形態は、図４に図示するとおりである。符号ａ、ｂは、それぞれブロック体１１、１１の上半部の高位置、低位置の連結片１１ｂ、１１ｂを示すからである（図７（Ａ））。一方、符号ｃ、ｄの連結片１１ｂ、１１ｂによる２個のブロック体１１、１１の上下方向の連結部分（図９の矢視Ｘ2b相当）は、ブロック体１１、１１の下半部の高位置の連結片１１ｂ（符号ｃ）と、低位置の連結片１１ｂ（符号ｄ）とを重ね合わせ、連結ピン１２を介して連結されている。符号ｂ、ｃの連結片１１ｂ、１１ｂによる連結部分（図９の矢視Ｘ2c相当）、符号ａ、ｄの連結片１１ｂ、１１ｂによる連結部分（図９の矢視Ｘ2d相当）の形態も、それぞれ同様に理解することができる。
【００３５】
また、符号ａ、ｂ、ｃの連結片１１ｂ、１１ｂ…による３個のブロック体１１、１１…の上下方向の連結部分（図９の矢視Ｘ3a相当）の形態も同様に理解すればよい。符号ａ、ｂ、ｄの連結片１１ｂ、１１ｂ…による３個のブロック体１１、１１…の連結部分（図９の矢視Ｘ3b相当）の形態や、符号ａ、ｂ…ｄの連結片１１ｂ、１１ｂ…による４個のブロック体１１、１１…の連結部分（図９の部位Ｘ4a相当）の形態についても、全く同様である（図１０（Ａ））。なお、図１０（Ａ）は、４個のブロック体１１、１１…による部位Ｘ4aの連結部分を示す要部拡大縦断面図である。
【００３６】
図１の枠体１０において、ブロック体１１、１１…を上下２段に重ねる部分は、図９において、１段目と同一の配列のブロック体１１、１１…をそのまま２段に積み重ねればよい。ただし、そのとき、上下方向の各連結部分に使用する連結ピン１２は、２段のブロック体１１、１１の高さに適合させるものとする（たとえば図１０（Ｂ））。なお、図１０（Ｂ）は、図１０（Ａ）と同様の部位Ｘ4a相当の２段の連結部分の要部拡大縦断面図である。
【００３７】
外部に露出する２個のブロック体１１、１１の上下方向の連結部分（図９の矢視Ｘ2a〜Ｘ2d相当）には、図４、図６のように、断面半円弧状のカバー材３２を付設することができる（図１１（Ａ））。ただし、ブロック体１１、１１が１段でなく、２段に重なる場合は、連結ピン１２と同様に、カバー材３２の全長をブロック体１１の高さの２倍相当に延長し、上部の係合爪３２ａ、３２ａは、上段のブロック体１１、１１の上部の係合部１１ｄ、１１ｄの直近下方に位置させ、下部の係合爪３２ａ、３２ａは、下段のブロック体１１、１１の下部の係合部１１ｄ、１１ｄの直近上方に位置させて、それぞれ連結ピン１２に対して弾発的に嵌合させるものとする（図１１（Ａ）の矢印方向）。
【００３８】
外部に露出する３個のブロック体１１、１１…の上下方向の連結部分（図９の矢視Ｘ3a、Ｘ3b相当）には、外面を斜面に形成するカバー材３２を付設することができる（図１１（Ｂ））。なお、カバー材３２は、ブロック体１１、１１…の全部が１段であれば、ブロック体１１の高さ相当の長さでよく、２段のブロック体１１、１１…が含まれるときは、連結ピン１２とともに、ブロック体１１の高さの２倍相当の長さとする。ただし、図１１（Ｂ）のカバー材３２は、外面を１／４円弧状（四分円状）としてもよい。
【００３９】
さらに、外部に露出する１個のブロック体１１の上下方向の角部（図９の矢視Ｘ1a〜Ｘ1d相当）は、連結部分ではないが、ブロック体１１が１段、２段のいずれかによって長短のダミーの連結ピン１２を装着し、この連結ピン１２に対して断面３／４円弧状の長短のカバー材３２を付設することができる（図１１（Ｃ））。ただし、図９の部位Ｘ4b相当の連結部分は、１段、２段のブロック体１１、１１…が混在しており、ここでは、ブロック体１１の高さの２倍相当の長い連結ピン１２とともに、２段目のブロック体１１、１１の外部に露出する連結部分用として図１１（Ａ）の短いカバー材３２を併用するものとする。
【００４０】
なお、図９のブロック体１１、１１…の配列は、図１の枠体１０を構成するための単なる一例であって、他の配列も当然に採用可能である。また、枠体１０は、図１以外の形状、大きさに変形してもよい。なお、枠体１０を作るためのブロック体１１、１１…の配列形態は、たとえば各ブロック体１１の表面に合いマークを表示しておくことにより、誰でも誤りなく速やかに組立作業を実行することができる。さらに、図１のクッション性のシート材３１は、枠体１０を含む大きさとし、枠体１０を構成するブロック体１１、１１…の配列用のガイド図を実物大に図示しておくことにより、枠体１０の組立作業を一層容易にすることができる。
【産業上の利用可能性】
【００４１】
この考案は、たとえば恒久的なプール設備がない小学校や、幼稚園、保育所、保育園、一般家庭などにおいて、児童用、幼児用の簡易な組立プールとして広く好適に適用することができる。
【符号の説明】
【００４２】
Ｓ…凹部
１０…枠体
１１…ブロック体
１１ａ…切欠き
１１ｂ…連結片
１１ｃ…ピン孔
１１ｄ…係合部
１２…連結ピン
１２ａ…頭部
１２ｃ…摘み
２０…防水部材
３２…カバー材
実用新案登録出願人      東邦ゴム工業株式会社
【図１】
0003183753.tif 000003
【図２】
0003183753.tif 000004
【図３】
0003183753.tif 000005
【図４】
0003183753.tif 000006
【図５】
0003183753.tif 000007
【図６】
0003183753.tif 000008
【図７】
0003183753.tif 000009
【図８】
0003183753.tif 000010
【図９】
0003183753.tif 000011
【図１０】
0003183753.tif 000012
【図１１】
0003183753.tif 000013